(57)【特許請求の範囲】
【請求項１】
テーブル部と、前記テーブル部を支持する支柱部と、前記支柱部の基部に設けられた脚部とを有し、前記脚部に設けられたキャスタにより移動可能な移動式テーブルにおいて、
ロック部材を操作アームによって作動させて前記キャスタの車輪をロックまたはロック解除するキャスタロック機構を有するものであって、
前記操作アームは、前記脚部に支点を有して揺動するものであり、前記操作アームの前記ロック部材を作動させる作用点が前記支点よりも力点側に設けられたものであり、
操作部から操作ワイヤを前記操作アームの力点に接続して、前記操作部の操作力を前記操作ワイヤを介して前記作用点に伝えて、前記ロック部材を作動させるようにしたものであり、
前記操作アームの力点側と前記脚部との間に第１の弾性体を設け、前記操作アームの作用点側と前記脚部との間に第２の弾性体を設け、
各キャスタに前記ロック部材の作動軸が進退動可能に設けられ、その作動軸に前記作用点が位置するようにし、
前記第１の弾性体が、前記ロック部材が前記キャスタの車輪をロックする方向に前記操作アームを付勢し、前記第２の弾性体が、前記ロック部材による前記車輪のロックを解除する方向に前記操作アームを付勢するものであることを特徴とする移動式テーブルの脚部ロック機構。
【請求項２】
前記操作部の非操作時には、前記ロック部材によって前記キャスタの車輪をロックするロック状態にし、一方、前記操作部の操作時には、前記ロック部材が前記キャスタの車輪をロック解除状態にするものであることを特徴とする請求項１に記載の移動式テーブルの脚部ロック機構。
【請求項３】
前記操作アームにおいて前記第１の弾性体の弾発力による操作モーメントが前記第２の弾性体の弾発力による操作モーメントよりも大きいことを特徴とする請求項１または２に記載の移動式テーブルの脚部ロック機構。
【請求項４】
前記脚部は、その長さ方向両端にそれぞれ前記キャスタを設け、各キャスタにそれぞれ操作アームが設けられて、それら操作アームの力点同士を併せて前記操作ワイヤによって作動させるようにしたことを特徴とする請求項１から３のうちのいずれかに記載の移動式テーブルの脚部ロック機構。
【請求項５】
前記移動式テーブルは、ベッドの上方に前記テーブル部を位置させることが可能なオーバーベッドテーブルであることを特徴とする請求項１から４のうちのいずれかに記載の移動式テーブルの脚部ロック機構。
【発明の詳細な説明】
【技術分野】
【０００１】
本発明は、移動式テーブル、特に、ベッドサイドテーブルやオーバーベッドテーブル等における移動式テーブルの脚部ロック機構に関する。
【背景技術】
【０００２】
従来、移動式テーブルには、ベッド付近で使用するものがある。例えば、ベッドサイドの一側からベッドの幅方向に移動して所定位置に配置して使用するベッドサイドテーブルや、ベッドのフット側からベッドの長手方向に移動して所定位置に配置して使用するオーバーベッドテーブル等がある。この種の移動式テーブルでは、ユーザがテーブルを使用時にキャスタが動かないようにするためのロック操作機構を備えるものが知られている。
【０００３】
移動式テーブルのロック機構には、ひとつの操作レバーの操作力をワイヤ及びリンクによって４個全てのキャスタのロック機構に伝達して、４個のキャスタを同時にロック、ロック解除の操作をできるようにしたものがある（特許文献１参照）。
【０００４】
この特許文献１のロック機構では、キャスタの車輪の内歯車状の被係合部に板状の係合部が嵌合・離脱することによってロック・アンロックする機構であるので、キャスタに設けてあり、操作ワイヤをキャスタ付近に延ばす必要がある。
【０００５】
これに対して、操作ワイヤをキャスタ付近に延ばす必要なく、操作アームで操作可能にしたものがある。
【０００６】
移動式テーブルのキャスタの車輪に設けたロック機構の他の例として、脚部へのキャスタの取付け軸と同軸方向に作動ピンが突設され、この作動ピンが上方から押された場合に、キャスタの車輪がロックされる機構のものがある（特許文献２参照）。
【０００７】
この特許文献２において、ロック機構の作動ピンは、スプリングによって上方に付勢される構成である。テーブル設置の操作レバーの作動力が操作ワイヤを介して脚部設置の操作アームに伝達される。操作アームは、脚部に設けた支点をはさんで力点が作動ピンの上方に位置し、作用点に操作ワイヤが接続されて、操作ワイヤによって作用点が移動した際に力点が作動ピンを上方に作動させてキャスタの車輪をロックするように、脚部に作動可能に設置される構造のものである。
【先行技術文献】
【特許文献】
【０００８】
【特許文献１】特開２００７−１３１２３９号公報
【特許文献２】特許第５３２７８８７号公報
【発明の概要】
【発明が解決しようとする課題】
【０００９】
しかしながら、特許文献２の技術では、キャスタのロック機構は操作しない状態でロック解除状態であり、ロック状態にするには、操作アームを引き上げるロック操作が必要となり、非操作時にロック状態とすることを想定していない構造のものである。
【００１０】
本発明は、上記従来の問題点に鑑みてなされたものであって、キャスタに操作ワイヤを直接設けなくてもキャスタをロック状態／ロック解除状態に操作できると共に、非操作時にキャスタのロック機構をロック状態にしやすい構造にして、ロック操作・ロック解除操作の操作性の向上を図ることができる移動式テーブルの脚部ロック機構を提供することを目的とする。
【課題を解決するための手段】
【００１１】
本発明は、テーブル部と、前記テーブル部を支持する支柱部と、前記支柱部の基部に設けられた脚部とを有し、脚部に設けられたキャスタにより移動可能な移動式テーブルにおいて、
ロック部材を操作アームによって作動させてキャスタの車輪をロックまたはロック解除するキャスタロック機構を有するものであって、
前記操作アームは、脚部に支点を有して揺動するものであり、操作アームのロック部材を作動させる作用点が支点よりも力点側に設けられたものであり、
操作部から操作ワイヤを前記操作アームの力点に接続して、操作部の操作力を前記操作ワイヤを介して前記作用点に伝えて、ロック部材を作動させるようにしたものであることを特徴とする移動式テーブルの脚部ロック機構である。
【００１２】
本発明において、操作部の非操作時には、前記ロック部材によってキャスタの車輪をロックするロック状態にし、一方、前記操作部の操作時には、ロック部材がキャスタの車輪をロック解除状態にするものであることが好適である。
【００１３】
また、本発明において、前記操作アームは、弾性体の付勢力によってキャスタの車輪をロック状態にするものであることが好適である。
【００１４】
本発明において、脚部は、その長さ方向両端にそれぞれキャスタを設け、各キャスタにそれぞれ操作アームが設けられて、それら操作アームの力点同士を併せて操作ワイヤによって作動させるようにしたことが好適である。
【００１５】
また、本発明において、各キャスタにロック部材の作動軸が進退動可能に設けられ、その作動軸に作用点が位置するようにしたことが好適である。
【００１６】
本発明において、移動式テーブルは、ベッドの上方にテーブル部を位置させることが可能なオーバーベッドテーブルであることが好適である。
【発明の効果】
【００１７】
本発明の移動式テーブルの脚部ロック機構によれば、キャスタロック機構の操作アームは、脚部に支点を有して揺動するものであり、操作アームのロック部材を作動させる作用点が支点よりも力点側に設けられたものであり、操作部から操作ワイヤを前記操作アームの力点に接続して、操作部の操作力を、前記操作アームを介して前記作用点に伝えて、ロック部材を作動させるようにしたものである。
【００１８】
したがって、キャスタに操作ワイヤを直接設けなくてもキャスタをロック状態／ロック解除状態に操作できると共に、操作アームが支点を中心に作用点側が下がると力点が下がってロック部材がキャスタの車輪をロックする構成にできる。
【００１９】
また、操作アームが下がればロックできる構成にすれば、操作アームは自重で下方向きに力が加わるため、操作アームを引き上げるのに比較して操作アームを下げるのが容易になるため、常時にロック状態にしやすい。特に、ばね等の弾性体で操作アームの力点に下方向きに力を加えておけば、操作部の非操作時にキャスタがロック状態になり、意図せずにテーブルが押されたとしても不用意にテーブルが移動してしまうのを防止できる等の優れた効果を奏し得る。
【図面の簡単な説明】
【００２０】
【図１】本発明の実施形態に係る移動式テーブルの全体の構成を示す斜視説明図である。
【図２】前記移動式テーブルの全体の構成を示す正面視した説明図である。
【図３】前記移動式テーブルを側面視した説明図で、支柱部が短縮した状態を示す。
【図４】前記移動式テーブルを側面視した説明図で、支柱部が延びた状態を示す。
【図５】前記移動式テーブルの支柱連結部周辺の拡大図で、（ａ）が支柱部を延ばした状態、（ｂ）が支柱部をたたんだ状態を示すものである。
【図６】前記移動式テーブルのロック付キャスタ構造を示す説明図で、（ａ）が脚部の側面視図、（ｂ）がキャスタ周辺の拡大図である。
【図７】テーブル部の内部構造、及び、ロック解除機構の説明図である。
【発明を実施するための形態】
【００２１】
以下、本発明の移動式テーブルの実施形態について図面を参照して詳細に説明する。
【００２２】
図１〜図４は本発明の実施形態に係る移動式テーブルの全体構成を示す説明図、図５は支柱連結部周辺の拡大図、図６はロック付キャスタ構造の説明図、図７はテーブル部のロック解除機構周辺を示す説明図である。
【００２３】
本実施形態に係る移動式テーブル１は、オーバーベッドテーブルであって、図１〜図３に示すように、細長いテーブル板を有するテーブル部１０と、テーブル部１０の両端部を支持する支柱部２０、支柱部２０の基部側に設けられテーブル部１０の幅方向に長い脚部３０と、脚部３０の長さ方向（テーブル部の幅方向）両端部にそれぞれ設けたキャスタ３１によって移動可能なものである。
【００２４】
キャスタロック機構３２は、移動式テーブル１において、常時はキャスタ３１の車輪をロック（回転規制）している。キャスタロック機構３２は、テーブル部１０に設けたロック解除機構４０の操作によって操作ワイヤ４１を介して、後述する図６に示すように、操作アーム３２４を作動させてロック部材（実施形態ではブレーキシュー）３２１をキャスタ３１の車輪に押し当て／押し当てを解除して、キャスタ３１のロック／ロック解除の状態の変更を行うことができる。
【００２５】
まず、本実施形態の移動式テーブル１の各部の構成について図面を参照して説明する。
【００２６】
テーブル部１０は、図１，図２に示すように、ベッド装置（図示省略）の幅方向にわたりベッド装置を跨いで配置可能なように、細長い矩形状に形成されている。
そして、テーブル部１０は、上面１０１と下面１０２とを備えている。
【００２７】
テーブル部１０の下面１０２の長手方向両端部に支柱部２０が下方に延びる様に配置されており、移動式テーブル１は全体形状が図２の正面視で門型状に形成されている。支柱部２０の基部（下端部）にはキャスタ３１を備える脚部３０が具備されている。
【００２８】
下面１０２の下側には、図２に示すように、長手方向に沿って長くテーブル補強部材１０３が設けられている。テーブル補強部材１０３には、支柱部２０が折り畳み可能に構成されている。
【００２９】
テーブル部１０の幅方向の一側端部には、図１，図３に示すように、ロック解除機構４０が設けられている。そして、テーブル部１０とテーブル補強部材１０３との間には、図１，図２に示すように、ロック解除機構４０の一部を構成する曲げ伸ばし可能な操作ワイヤ４１が敷設されている。
移動式テーブルでは、操作ワイヤ４１は、テーブル補強部１０３の内部と支柱部の内部とに収納されている。
【００３０】
支柱部２０は、図３，図４に示すように、伸縮可能に構成されている。図３が短縮した状態、図４が延びた状態に示している。
【００３１】
支柱部２０は、それぞれ中空筒状の第１支柱部材２０１と第２支柱部材２０２とを有し、当該第１支柱部材２０１に第２支柱部材２０２が外装された構成である。そして、第１支柱部材２０１に沿って第２支柱部材２０２が図中上下方向に移動することで支柱部２０が伸縮するように構成されている。
【００３２】
第１支柱部材２０１は脚部３０の長さ方向中央から上方向きに延びて設けられ、第２支柱部材２０２はテーブル部１０下部に下方向きに延びて設けられて、図示しない駆動機構により、ユーザがテーブル部１０を押上げたり、押し下げたりする操作によるテーブル部１０の高さ調整を可能にしている。
【００３３】
支柱部２０の内部には、支柱部２０が伸縮する動作に対応して支柱部２０内部に配設される操作ワイヤ４１をガイドする伸縮ガイド構造２１が構成されている。
【００３４】
伸縮ガイド構造２１は、第１ガイド部材２１１と第２ガイド部材２１２とを備え、支柱部２０が伸縮する範囲で第１ガイド部材２１１に沿って第２ガイド部材２１２を図中上下方向に移動することで伸縮するように構成されている。
【００３５】
第１ガイド部材２１１は第１支柱部材２０１側に設けられ、第２ガイド部材２１２は第２支柱部材２０２側に設けられている。第２ガイド部材２１２は、その内部で操作ワイヤ４１が容易に移動可能に配置され、第１ガイド部材２１１は、その内部で第２ガイド部材２１２及び操作ワイヤ４１が容易に移動可能に配置されており、これにより、支柱部２０が伸縮することで支柱部２０内部に配設される操作ワイヤ４１の長さが変化しても折れ曲がらないようにガイドするように構成されている。
【００３６】
また、支柱部２０は、図５（ａ），（ｂ）にテーブル補強部材１０３周辺を示すように、折りたたみ可能に構成されている。具体的には、第２支柱部材２０２が、テーブル部１０の下面１０２に設けられたテーブル補強部材１０３に折りたたみ可能に支持されている。図５（ａ）は、支柱部２０が立ち上がるテーブルの使用状態、図５（ｂ）は支柱部２０を折り畳んだテーブル不使用状態を示す。
【００３７】
第２支柱部材２０２には、テーブル補強部材１０３に取り付けられる支柱連結部２０３が一体的に設けられている。
【００３８】
支柱連結部２０３は、図５（ａ），（ｂ）に示すように、回動支持部２０３ａと、固定部２０３ｂと、固定部２０３ｃとを備えている。
【００３９】
支柱連結部２０３は、回動支持部２０３ａを支点として支柱連結部２０３をテーブル補強部材１０３に回動可能に軸支されている。
【００４０】
回動支持部２０３ａは、支柱部２０を折りたたむときには、支柱連結部２０３を回動する支点として機能するとともに、テーブル補強部材１０３に形成された長穴状のガイド穴１０３ａに沿って支柱連結部２０３の回動をガイドする。そして、回動支持部２０３ａは、テーブル使用状態では図示しない支持部材によりガイド穴１０３ａに係合される。
【００４１】
固定部２０３ｃは、テーブル使用状態では図示しない締結部材によりテーブル補強部材１０３に形成された取付け穴１０３ｃに固定される。
【００４２】
このように、支柱連結部２０３により、移動式テーブル１を使用するときは、図５（ａ）に示すように、第２支柱部材２０２をテーブル補強部材１０３に対して締結部材により３箇所で確実に固定することができる。一方、移動式テーブル１を使用しないときは、図５（ｂ）に示すように、締結部材を外すだけで第２支柱部材２０２を簡単に折りたたむことができ、コンパクトに収納することができる。
【００４３】
脚部３０は、図６に示すように、キャスタ３１と、キャスタ３１の回転動作をロック／ロック解除するキャスタロック機構３２と、キャスタ３１及びキャスタロック機構３２が装着される脚部フレーム３３とを備えて構成されている。
【００４４】
実施形態では、図６に示すように、キャスタロック機構３２は、ブレーキシュー等のロック部材３２１を操作アーム３２４によって作動させてキャスタ３１の車輪をロックまたはロック解除するものである。
【００４５】
この場合、前記操作アーム３２４は、脚部３０に一端部３２４ａを支点として揺動するものであり、操作アーム３２４のロック部材３２１を作動させる作用点となるストッパ部３２４ｄが支点の一端部３２４ａよりも力点となる他端部３２４ｂ側に設けられたものである。
【００４６】
使用者がロック解除操作するための操作部（ロック解除機構４０の操作レバー４４）から操作ワイヤ４１を前記操作アーム３２４の力点に接続して、その操作部の操作力を前記操作ワイヤ４１を介して前記作用点に伝えて、ロック部材３２１を作動させるようにしたものである。
【００４７】
また、実施形態では、操作部の非操作時には、前記ロック部材３２１によってキャスタ３１の車輪をロックするロック状態にし、一方、前記操作部の操作時には、ロック部材３２１がキャスタ３１の車輪をロック解除状態にするものである。つまり、操作部を操作しない状態で、キャスタ３１はロック状態となり、移動式テーブル１の移動が規制される構造である。
【００４８】
また、前記操作アーム３２４は、弾性体（コイルばね３２７）の付勢力によってキャスタ３１の車輪をロック状態にする構造になっている。
【００４９】
また、脚部３０は、その長さ方向両端にそれぞれキャスタ３１を設け、各キャスタ３１にそれぞれ操作アーム３２４が設けられて、それら操作アーム３２４の力点（他端部３２４ｂ）同士を併せて操作ワイヤ４１によって作動させるようにしたものである。
【００５０】
また、各キャスタ３１にロック部材３２１の作動軸（ロック部材支持軸３２２）が進退動可能に設けられ、その作動軸に作用点（ストッパ部３２４ｄ）が位置するようにしたものである。
【００５１】
具体的には、脚部フレーム３３は、図６（ａ）に示すように、テーブル部１０の幅方向に沿って長く形成された剛性体であって、その両端部にそれぞれキャスタ３１が取付けられている。
【００５２】
キャスタ３１は、図６（ｂ）に詳しく示すように、脚部フレーム３３の端部に取付けられた取付けブラケット３３１に対して取付け軸３１１を中心に回転自在に軸支されている。その取付け軸３１１の中空軸内にロック部材支持軸が同軸に装着されて、取付け軸３１１と同軸上にロック部材３２１を支持するロック部材支持軸３２２が、当該取付け軸３１１の軸線方向に移動可能に取付けられている。
【００５３】
ロック部材支持軸３２２は、図６（ｂ）に示すように、コイルばね３２３によりロック部材３２１がキャスタ３１から離間する方向（図中上方向）に付勢されている。ロック部材３２１は、エラストマ等の抵抗率の高い弾性材からなり、キャスタ３１の車輪外周面に上方から押し付けてキャスタ３１の回転を制止してロックする構造である。
【００５４】
ロック部材３２１は、キャスタロック機構３２を構成する操作アーム３２４により駆動操作されるようになっている。そして、ロック部材支持軸３２２が操作アーム３２４に突設されたストッパ部３２４ｄに当接することでロック部材３２１の位置が設定される。
【００５５】
操作アーム３２４は、一端部３２４ａが取付けブラケット３３１のキャスタ３１の取付け位置よりも外側に設けられた支持部３３１ａに支持軸３２５により回動自在に軸支され、他端部３２４ｂが連結ピン３２６によりインナワイヤ４１１に連結されている。他端部３２４ｂには、連結ピン３２６の動きをガイドする長穴状のガイド穴３２４ｃが形成されている。
【００５６】
操作アーム３２４は、脚部フレーム３３の両端部のキャスタ３１に対応して一対が設けられ、脚部フレーム３３の両端部に、操作アーム３２４の一端部３２４ａが位置し、そこから中央部に他端部３２４ｂがわたるように配置されている。
【００５７】
操作アーム３２４は、インナワイヤ４１１が進退動することにより、支持軸３２５を支点に他端部３２４ｂが上下方向に回動するようにして操作される構造である。
【００５８】
操作アーム３２４は、他端部３２４ｂがインナワイヤ４１１の引き力で上方に回動すると、ストッパ部３２４ｄが上方に変移する。これにより、ロック部材支持軸３２２に設けたロック部材３２１は、コイルばね３２３のばね力により上方にキャスタ３１から離間する方向、すなわち、キャスタ３１のロックを解除する方向に移動する。
【００５９】
一方、他端部３２４ｂがインナワイヤ４１１の引き力がなくなるとコイルばね３２７のばね力によって下方に回動し、ストッパ部３２４ｄが下方に変移する。これにより、ロック部材３２１は、コイルばね３２３のばね力に抗して下方にキャスタ３１に当接する方向、すなわち、キャスタ３１をロックする方向に移動する。
【００６０】
この構成では、操作アーム３２４において、他端部３２４ｂに設けたコイルばね３２７の弾発力による操作アーム３２４のモーメントは、ロック部材支持軸３２２のコイルばね３２３のモーメントよりも大きい。
【００６１】
つまり、操作アームの支点（一端部３２４ａ）からの距離が作用点（ストッパ部３２４ｄ）よりも力点（他端部３２４ｂ）が長いので、コイルばね３２３よりもコイルばね３２７の弾発力が小さくて済み、操作レバーの操作力が直接、ロック部材３２１を作動させるよりも小さくて済み、軽い力でロックすることができるので、ロック解除も軽い力ですることができる。
【００６２】
操作アーム３２４は、脚部フレーム３３の両端部のキャスタ３１に対応して対で設けられている。脚部フレーム３３の一方端に配置された一のキャスタ３１用の操作アーム３２４の他端部３２４ｂと、他方端に配置された他のキャスタ３１用の操作アーム３２４の他端部３２４ｂとが、前記脚部フレーム３３の中央部において、連結ピン３２６により連結されている。
【００６３】
このように構成することで、連結ピン３２６に連結されたインナワイヤ４１１を操作することにより、操作アーム３２４の両端部のキャスタロック機構３２を同時に動作させることができる。
【００６４】
次に、本実施形態のロック解除機構４０の特徴的な構成について図面を参照して説明する。
【００６５】
図７は本実施形態の移動式テーブル１のロック解除機構４０の全体構成を示す説明図である。
【００６６】
ロック解除機構４０は、図７に示すように、操作ワイヤ４１、ワイヤレバー４２、操作軸４３、操作レバー４４、ストップボタン４５を備えて構成されている。
【００６７】
操作ワイヤ４１は、動作するインナワイヤ４１１と、アウタワイヤ４１２とを備えて、ワイヤレバー４２とキャスタ３１のキャスタロック機構３２に連結されてロック／ロック解除の操作を行う。
【００６８】
操作ワイヤ４１は、図７に示すように、一端部がワイヤレバー４２に取付けられ、図２に示すように、テーブル部１０側から支柱部２０の内部を通って脚部３０側へ敷設されて、図６に示すように、他端部が脚部３０のキャスタ３１のキャスタロック機構３２の連結ピン３２６によって操作アーム３２４に取付けられている。
【００６９】
操作ワイヤ４１は、支柱部２０が伸縮する範囲でキャスタ３１のキャスタロック機構３２のロック／ロック解除操作が可能なように、図７に示すように、テーブル部１０のテーブル補強部材１０３の内部空間内で長さ余裕を持たせるように湾曲させて敷設されている。
【００７０】
具体的には、操作ワイヤ４１は、図７に示すように、インナワイヤ４１１の一端部をワイヤレバー４２に取付け、アウタワイヤ４１２の一端部をテーブル補強部材１０３の中央付近に取付けた状態で、テーブル補強部材１０３の中央付近で円弧状に湾曲させて余裕を持たせて、テーブル補強部材１０３の側端部から図示しないワイヤガイドを介して支柱部２０の内部を通って脚部３０まで引き回して図６に示すように、インナワイヤ４１１の他端部をキャスタ３１のキャスタロック機構３２に取付け、アウタワイヤ４１２の他端部をキャスタロック機構３２付近の脚部３０の一部に取付けられている。
【００７１】
ワイヤガイド部４８は、湾曲した筒状体で構成され、支柱部２０が伸縮することにより操作ワイヤ４１が変移する際に曲げＲが極端に小さくならないようにガイドするようにされている。
【００７２】
操作ワイヤ４１は、テーブル部１０の両側部に設けられた２箇所の支柱部２０から脚部３０にわたり同じ様に敷設されている。
【００７３】
ワイヤレバー４２は、図７に示すように、テーブル部１０の下部でテーブル補強部材１０３の中央付近に配置され、インナワイヤ４１１の一端部が接続されて、動作させることで、インナワイヤ４１１の他端部が接続される移動式テーブル１の両端部の２箇所に配置される脚部３０のキャスタ３１のキャスタロック機構３２を同時に動作させるレバーである。
【００７４】
操作軸４３は、図２に示すように、テーブル補強部材１０３の長手方向の側端部に沿って長く設けられ、テーブル補強部材１０３に回動可能に取付けられている。操作軸４３の長手方向の中央部付近にはワイヤレバー４２が一体的に設けられて、操作軸４３の回動とともにワイヤレバー４２が一体的に回動するようにされている。
【００７５】
操作レバー４４は、図７に示すように、一端部が外側に突設された略Ｌ字状のレバー部であって、他端部が操作軸４３に一体的に設けられて、操作軸４３を回動させる。本実施形態では、操作レバー４４は、操作軸の両端部に設けられている。
【００７６】
ストップボタン４５は、ロック解除機構４０によるキャスタ３１のキャスタロック機構３２のロック解除状態を保持するロック解除保持部材として機能する。具体的には、図２に示すように、ストップボタン４５は、操作レバー４４を操作して、ワイヤレバー４２が操作ワイヤ４１を動作させた状態、すなわち、キャスタ３１のキャスタロック機構３２がロック解除された状態を保持するように構成されている。なお、ストップボタン４５は、通常は図示しない弾性体によりカバー部材の外側に突出した状態となるように付勢されている。
【００７７】
本発明は実施形態に限定されるものではなく、発明の範囲内で種々に変形実施できる。例えば、ロック部材はブレーキシューをキャスタに摺接させるものほか、キャスタ軸をロックする構造のものでもよい。また、支柱部は第１支柱部材に第２支柱部材を外装していたが、その他、３つ以上の支柱部材を装入して構成するなど種々に構成できる。
【産業上の利用可能性】
【００７８】
本発明の移動式テーブルの脚部ロック機構は、ベッドで使用する移動式テーブルの他、事務用の移動式テーブルの脚部ロック機構としても利用することができる。
【符号の説明】
【００７９】
１  移動式テーブル
１０  テーブル部
２０  支柱部
２１  伸縮ガイド構造
３０  脚部
３１  キャスタ
３２  キャスタロック機構
３３  脚部フレーム
４０  ロック解除機構
４１  操作ワイヤ
２０１  第１支柱部材
２０２  第２支柱部材
２０３  支柱連結部
３１１  取付け軸
３２１  ロック部材
３２２  ロック部材支持軸
３２４  操作アーム
３２４ａ  操作アームの一端部
３２４ｂ  操作アームの他端部
３２４ｃ  ガイド穴
３２４ｄ  ストッパ部
３２５  支持軸
３２６  連結ピン
３３１  ブラケット
３３１ａ  ブラケットの支持部
【図１】
0006486637.tif 000002
【図２】
0006486637.tif 000003
【図３】
0006486637.tif 000004
【図４】
0006486637.tif 000005
【図５】
0006486637.tif 000006
【図６】
0006486637.tif 000007
【図７】
0006486637.tif 000008